(57)【要約】【課題】情報漏洩と情報を設定した人のプライバシー保護を考慮した音声読上げの提供。【解決手段】設定する設定情報を入力するための入力手段と記憶するための記憶手段と、設定情報の中で秘密にする秘密情報Ｓを特定する手段と、秘密情報Ｓを変換する変換手段Ｆと、前記の変換手段Ｆにより生成した生成情報Ｔ（Ｔ＝Ｆ（Ｓ）の関係にあるＴ）を読み上げる音声読上げ手段と、を有する音声読上げ方法および装置。【選択図】        図１
2006243133.tif 000002
【特許請求の範囲】
【請求項１】
設定する設定情報を入力するための入力ステップと、
設定情報を記憶するための第１の記憶ステップと、
設定情報の中で秘密にする秘密情報Ｓを特定するステップと、
秘密情報Ｓを変換する変換ステップＦと、
前記の変換ステップＦにより生成した生成情報Ｔ（Ｔ＝Ｆ（Ｓ）の関係にあるＴ）を音声情報として出力するための出力ステップと、
前記出力ステップによる情報を音声で読み上げる音声読上げステップと、
入力により所定の操作を行う制御ステップと、
を有することを特徴とする音声読上げ方法。
【請求項２】
請求項１記載の音声読上げ方法において、
秘密情報Ｓが決まっているステップであること
を特徴とする音声読上げ方法。
【請求項３】
請求項１記載の音声読上げ方法において、
秘密情報Ｓが選択できるステップであること
を特徴とする音声読上げ方法。
【請求項４】
請求項１記載の音声読上げ方法において、
秘密情報Ｓとは、暗証番号であること
を特徴とする音声読上げ方法。
【請求項５】
請求項１記載の音声読上げ方法において、
秘密情報Ｓとは、パスワードであること
を特徴とする音声読上げ方法。
【請求項６】
請求項１記載の音声読上げ方法において、
秘密情報Ｓとは、金額であること
を特徴とする音声読上げ方法。
【請求項７】
請求項１記載の音声読上げ方法において、
秘密情報Ｓとは、電話番号であること
を特徴とする音声読上げ方法。
【請求項８】
請求項１記載の音声読上げ方法において、
秘密情報Ｓとは、宛先であること
を特徴とする音声読上げ方法。
【請求項９】
請求項１記載の音声読上げ方法において、
秘密情報Ｓとは、氏名であること
を特徴とする音声読上げ方法。
【請求項１０】
請求項１記載の音声読上げ方法において、
変換ステップＦとは、秘密情報Ｓの一つを異なる秘密情報Ｓの一つと交換することを繰り返し、並び順を替えること
を特徴とする音声読上げ方法。
【請求項１１】
請求項１記載の音声読上げ方法において、
変換ステップＦとは、秘密情報Ｓをあらかじめ決めておいたダミー情報に替えること
を特徴とする音声読上げ方法。
【請求項１２】
請求項１記載の音声読上げ方法において、
変換ステップＦとは、秘密情報Ｓの一部のみを選択すること
を特徴とする音声読上げ方法。
【請求項１３】
請求項１記載の音声読上げ方法において、
変換ステップＦとは、秘密情報Ｓを復元可能な情報に暗号化すること
を特徴とする音声読上げ方法。
【請求項１４】
請求項１３記載の音声読上げ方法の変換ステップＦにおいて、
暗号化するとは、文字または数字が秘密情報Ｓの場合は、情報の値を任意の数だけ動かす（例えば１つ後ろへ動かす場合、“Ａ”は“Ｂ”とし、“１”は“２”とする）こと
を特徴とする音声読上げ方法。
【請求項１５】
請求項１記載の音声読上げ方法において、
複数の変換ステップＦを有し、ユーザがその中から変換ステップＦを選択することを可能とすること
を有することを特徴とする音声読上げ方法。
【請求項１６】
請求項１記載の音声読上げ方法において、
変換ステップＦは変換に対するパラメータを持ち、ユーザがこのパラメータを指定することを可能とすること
を有することを特徴とする音声読上げ方法。
【請求項１７】
請求項１記載の音声読上げ方法の出力ステップにおいて、
生成情報Ｔを記憶するための第２の記憶ステップと、
出力先を音声読上げステップ以外にも選択することを可能とすること
を有することを特徴とする音声読上げ方法。
【請求項１８】
請求項１記載の音声読上げ方法の音声読上げ方法において、
読み上げる速度、音量、音質、音程を変更することのできる制御ステップ
を有することを特徴とする音声読上げ方法。
【請求項１９】
請求項１記載の音声読上げ方法において、
この方法および装置は画像形成ステップであること
を特徴とする音声読上げ方法。
【請求項２０】
設定する設定情報を入力するための入力手段と、
設定情報を記憶するための第１の記憶手段と、
設定情報の中で秘密にする秘密情報Ｓを特定する手段と、
秘密情報Ｓを変換する変換手段Ｆと、
前記の変換手段Ｆにより生成した生成情報Ｔ（Ｔ＝Ｆ（Ｓ）の関係にあるＴ）を音声情報として出力するための出力手段と、
前記出力手段による情報を音声で読み上げる音声読上げ手段と、
入力により所定の操作を行う制御手段と、
を有することを特徴とする音声読上げ装置。
【請求項２１】
請求項２０記載の音声読上げ装置において、
秘密情報Ｓが決まっている手段であること
を特徴とする音声読上げ装置。
【請求項２２】
請求項２０記載の音声読上げ装置において、
秘密情報Ｓが選択できる手段であること
を特徴とする音声読上げ装置。
【請求項２３】
請求項２０記載の音声読上げ装置において、
秘密情報Ｓとは、暗証番号であること
を特徴とする音声読上げ装置。
【請求項２４】
請求項２０記載の音声読上げ装置において、
秘密情報Ｓとは、パスワードであること
を特徴とする音声読上げ装置。
【請求項２５】
請求項２０記載の音声読上げ装置において、
秘密情報Ｓとは、金額であること
を特徴とする音声読上げ装置。
【請求項２６】
請求項２０記載の音声読上げ装置において、
秘密情報Ｓとは、電話番号であること
を特徴とする音声読上げ装置。
【請求項２７】
請求項２０記載の音声読上げ装置において、
秘密情報Ｓとは、宛先であること
を特徴とする音声読上げ装置。
【請求項２８】
請求項２０記載の音声読上げ装置において、
秘密情報Ｓとは、氏名であること
を特徴とする音声読上げ装置。
【請求項２９】
請求項２０記載の音声読上げ装置において、
変換手段Ｆとは、秘密情報Ｓの一つを異なる秘密情報Ｓの一つと交換することを繰り返し、並び順を替えること
を特徴とする音声読上げ装置。
【請求項３０】
請求項２０記載の音声読上げ装置において、
変換手段Ｆとは、秘密情報Ｓをあらかじめ決めておいたダミー情報に替えること
を特徴とする音声読上げ装置。
【請求項３１】
請求項２０記載の音声読上げ装置において、
変換手段Ｆとは、秘密情報Ｓの一部のみを選択すること
を特徴とする音声読上げ装置。
【請求項３２】
請求項２０記載の音声読上げ装置において、
変換手段Ｆとは、秘密情報Ｓを復元可能な情報に暗号化すること
を特徴とする音声読上げ装置。
【請求項３３】
請求項２０記載の音声読上げ装置の変換手段Ｆにおいて、
暗号化するとは、文字または数字が秘密情報Ｓの場合は、情報の値を任意の数だけ動かす（例えば１つ後ろへ動かす場合、“Ａ”は“Ｂ”とし、“１”は“２”とする）こと
を特徴とする音声読上げ装置。
【請求項３４】
請求項２０記載の音声読上げ装置において、
複数の変換手段Ｆを有し、ユーザがその中から変換手段Ｆを選択することを可能とすること
を有することを特徴とする音声読上げ装置。
【請求項３５】
請求項２０記載の音声読上げ装置において、
変換手段Ｆは変換に対するパラメータを持ち、ユーザがこのパラメータを指定することを可能とすること
を有することを特徴とする音声読上げ装置。
【請求項３６】
請求項２０記載の音声読上げ装置の出力手段において、
生成情報Ｔを記憶するための第２の記憶手段と、
出力先を音声読上げ手段以外にも選択することを可能とすること
を有することを特徴とする音声読上げ装置。
【請求項３７】
請求項２０記載の音声読上げ装置の音声読上げ装置において、
読み上げる速度、音量、音質、音程を変更することのできる制御手段
を有することを特徴とする音声読上げ装置。
【請求項３８】
請求項２０記載の音声読上げ装置において、
この方法および装置は画像形成手段であること
を特徴とする音声読上げ装置。
【発明の詳細な説明】
【技術分野】
【０００１】
本発明は設定した情報の音声読上げに係る音声読上げ方法および装置に関するもので、特に設定した情報を確認する際の情報漏洩を防ぐことに関するものである。
【背景技術】
【０００２】
従来の技術としては、設定した情報を確認する際に情報の漏洩を考慮することなく、設定した情報をそのまま読み上げる技術や、読上げ時に聞き漏らしを防ぐことを目的として読み上げる音量と速度を変更する技術が提案されている。また、設置した受話器を用いることにより設定した情報の漏洩を防ぐ技術が提案されている（例えば、特許文献１参照）。
【特許文献１】特開２０００−１７２９４４号公報
【発明の開示】
【発明が解決しようとする課題】
【０００３】
近年、視覚障害者や弱視者に対するバリアフリーの実現は重要な問題となり、早急な対応が求められている。
【０００４】
しかし、従来の設定した情報をそのまま読み上げる技術では、周囲の人に重要なセキュリティ情報が漏洩する恐れがある。また、受話器を設置する技術では生産・設置・維持というコスト面の負荷が増加する。
【０００５】
そのため本発明は、受話器を用いずに、重要な情報の漏洩を防ぐこと、正確に情報を確認して設定すること、情報を設定した人のプライバシー保護を考慮した音声読上げの提供を目的としたものである。
【課題を解決するための手段】
【０００６】
本発明は、設定した情報をそのまま読み上げるのではなく、設定した情報の特定情報を変換し、これを読み上げるための方法と装置を提供するものである。これにより前記の課題を解決する。
【０００７】
この方法と手段は、
設定する設定情報を入力するための入力手段と、
設定情報を記憶するための第１の記憶手段と、
設定情報の中で秘密にする秘密情報Ｓを特定する手段と、
秘密情報Ｓを変換する変換手段Ｆと、
前記の変換手段Ｆにより生成した生成情報Ｔ（Ｔ＝Ｆ（Ｓ）の関係にあるＴ）を音声情報として出力するための出力手段と、
前記出力手段による情報を音声で読み上げる音声読上げ手段と、
入力により所定の操作を行う制御手段を有することを特徴とする音声読上げ方法および装置
により、実現できる。
【発明の効果】
【０００８】
本発明により、受話器を用いずに、重要な情報の漏洩を防ぐこと、正確に情報を確認して設定すること、情報を設定した人のプライバシー保護を考慮した音声読上げの提供を実現した。本発明では設定内容の確認に音声を用いるため、これまで一人で設定を行うことが困難であった視覚障害者や弱視者も一人で設定を行うことが可能である。しかも、周囲に音声を聞く人が存在する場合においても、情報は変換してから読み上げられるため情報漏洩の可能性はかなり低くなる。
【０００９】
また本発明は、以前までは視覚障害者や弱視者の設定を行っていた人の手間を減らすと共に、設定を本人のみで行えるという点からバリアフリー社会実現への貢献がある。
【発明を実施するための最良の形態】
【００１０】
以下、本発明の実施の形態を詳しく説明する。
【実施例１】
【００１１】
図１は、本発明の実施形態の一具体例である画像形成装置（複写機）における制御部の構成概要を表すブロック図である。この画像形成装置の制御部は、入力を行う操作部Ｂ３と、音声情報を生成して出力する音声出力装置を備えた出力部Ｂ４と、出力部からの音声情報を実際に出力するスピーカＢ５と、出力部からの情報を印刷するプリンタＢ８と、外部との通信を行う外部インターフェイスＢ６と、スキャナＢ９により読み込んだ画像の処理を行う画像処理部Ｂ７と、情報を記憶するメモリＢ２と、入力を判断して所定の制御を行うＣＰＵ  Ｂ１からなる。
【００１２】
図２は画像形成装置における操作部Ｂ３の一部を表したものであり、コピーモードに遷移するためのコピーボタンＵ１とスキャナモードに遷移するためのスキャナボタンＵ２と送信モードに遷移するための送信ボタンＵ３からなる機能切替部と、設定内容を表示するディスプレイ部Ｕ４と、文字、記号、カーソルを扱うためのキーボードＵ５と入力を終了するための入力決定ボタンと入力をクリアするためのクリアボタンと数字を入力するためのテンキーＵ６からなる入力部と、次に移るための進むボタンＵ８と前に戻るための戻るボタンＵ７からなる動作決定部と、音声による読上げを開始もしくは終了するための音声スタートボタンＵ９と、装置の発声を調整する発声調整ボタンＵ１２と、実行を行うスタートボタンＵ１０と、設定をまとめて読み上げる一括読上げボタンＵ１１により構成されている。
【００１３】
この画像形成装置において視覚障害者や弱視者（以下、ユーザ）がスキャナ機能とコピー機能を使用する際に、設定内容を変換せずにそのまま読み上げる場合の動作概要を説明する。なおこの画像形成装置では、ユーザによる入力情報の判断はＣＰＵ  Ｂ１がすべて行い、音声情報はＣＰＵ  Ｂ１がメモリＢ２にあらかじめ記憶されている情報とユーザ入力もしくは生成情報を組み合せたものであり、この音声情報はＣＰＵ  Ｂ１の命令により出力部Ｂ４を経由してスピーカＢ５に送られ、音声読上げが行われる。
【００１４】
スキャナ機能は、ユーザが音声スタートボタンＵ９を押下することにより、“どの機能を利用しますか？”という音声案内（以下、このように機能や属性を設定するための音声案内を設定案内とする）がスピーカＢ５から行われ、これに対してユーザはスキャナボタンＵ２を押下し、“スキャナ機能ですね？正しいなら進むボタンを、訂正するなら戻るボタンを押してください”という音声案内（以下、このように設定した内容を確認するための音声案内を確認案内とする）に対して進むボタンＵ８を押下し、“解像度を設定します。２００×２００ｄｐｉなら１を、３００×３００ｄｐｉなら２を、４００×４００ｄｐｉなら３を押し、最後に入力決定ボタンを押してください”という設定案内に対してテンキーＵ６の数字と入力決定ボタンを押下し、確認案内に対して進むボタンＵ８を押下することで解像度の設定確認を行い、設定完了後にスタートボタンＵ１０を押下することで開始される。ユーザによるスタートボタンＵ１０押下後は、スキャン開始がＣＰＵ  Ｂ１に通知され、ＣＰＵ  Ｂ１が画像処理装置Ｂ７にスキャン実行命令を出すことでスキャン動作が行われる。なおスキャンした情報はスキャン終了後に、メモリＢ２に保存することも、外部インターフェイスＢ６を通して他の画像形成装置やＰＣに転送することも可能である。
【００１５】
コピー機能は、ユーザが音声スタートボタンＵ９を押下し、設定案内に対してコピーボタンＵ１を押下し、確認案内後に進むボタンＵ８を押下し、その後の“コピー枚数を入力し、最後に入力決定ボタンを押してください”という設定案内に対してテンキーＵ６の数字と入力決定ボタンを押下し、確認案内に対して進むボタンＵ８を押下することで枚数の設定を行い、スタートボタンＵ１０を押下することで開始される。ユーザによるスタートボタンＵ１０押下後は、コピー開始がＣＰＵ  Ｂ１に通知され、ＣＰＵ  Ｂ１がスキャン実行命令を出すことで情報を読み取り、読み取った情報を出力部Ｂ４からプリンタＢ８へ送ることでコピー動作が行われる。
【００１６】
前記画像形成装置を用いて、秘密情報Ｓを変換して生成した生成情報Ｔを読み上げるという本発明の実施例を説明するが、実施例を開始する手順は前記スキャナ機能、コピー機能と同じであるため、音声ガイドボタンＵ９を押下し、音声案内後に送信ボタンＵ３を押下し、確認案内に対して進むボタンＵ８を押下して送信モードに入った状態後の手順（以下，音声読上げフェーズ）のみを説明する。
【００１７】
それでは、送信モードにおいて電子メールを送信する際に送信設定を行い、この内容を音声読上げにより確認する一具体例を図３と図４を用いて説明する。図３は、送信設定を行う際の属性、設定案内、セキュア、変換手段Ｆ、ユーザによる設定情報の例をまとめたものである。以下では便宜上、メモリＢ２に記憶されている１つの属性、その属性の設定案内、その属性のセキュア、その属性の変換手段Ｆをまとめてレコードと呼び、１つのレコードを呼び出すことである１つの属性、その設定案内、そのセキュア、その変換手段Ｆが得られることとする。なお最後のレコードには、レコードの終了を表すための属性“ＥＮＤ”がある。また設定案内では、ここでは省略するが、設定の要求後に“最後に入力決定ボタンを押してください”と音声読上げが行われる。
【００１８】
図４は、図３を設定する際の音声読上げフェーズの処理手順を表したものである。なお本実施例では送信設定を行う属性、設定案内、変換後に属性を読み上げるかどうかの判断（以下、セキュアとし、設定したものを変換してから読み上げる場合（設定情報が秘密情報Ｓでもある場合）は１、変換しないで読み上げる場合は０）、変換手段ＦはすべてメモリＢ２に記憶されていて、ユーザは変更できないこととする。
【００１９】
ＣＰＵ  Ｂ１に送信ボタンＵ３の押下が通知されると、メモリＢ２からレコードを読み出す（Ｆ１）。そしてこのレコードの属性が“ＥＮＤ”であるかの判定を行う（Ｆ２）。属性が“ＥＮＤ”の場合は音声読上げフェーズを終了とする。ここではＣＰＵ  Ｂ１により属性は送信先アドレスであると判断されるため、“宛先を入力してください”という設定案内がスピーカＢ５から行われる。設定案内後に、ユーザは送信先アドレス“ｓａｔｏｕ＠ａ．ｃｏ．ｊｐ”をキーボードＵ５から入力し、テンキーＵ６の入力決定ボタンを押下する（Ｆ３）。この入力決定ボタンの押下がＣＰＵ  Ｂ１に通知されると、この属性のセキュアが０か１かの判定が行われる（Ｆ４）。セキュアが０の場合は、変換せずにそのまま設定情報を生成情報Ｔとする（Ｆ６）。ここではセキュアが１のため、設定情報が秘密情報Ｓとなり、秘密情報Ｓに“奇数番目の情報とその後ろの偶数番目の情報を入れ替えることを繰り返す”変換を行い、“ａｓｏｔ＠ｕ．ａｏｃｊ．ｐ”が生成情報Ｔとして生成される（Ｆ５）。この生成情報ＴはスピーカＢ５から音声読上げされる（Ｆ７）。
【００２０】
この後に、音声読上げにより設定情報が正しいかどうかの確認案内がスピーカＢ５から行われる。ユーザは、正しいなら進むボタンＵ８を、変更なら戻るボタンＵ７を押下する（Ｆ８）。そして、この入力をＣＰＵ  Ｂ１が判断する（Ｆ９）。変更の場合は音声案内の読上げ（Ｆ３）に戻る。ここでは正しいため進むボタンＵ８を押下することでメモリＢ２から次のレコードを読み出す（Ｆ１）。これにより属性が送信先アドレスの場合は終了となる。
【００２１】
続いて、属性が送信先アドレス以外の場合を説明する。ただし、音声読上げフェーズの処理手順は同じため、異なる変換手段Ｆと読上げ内容を中心に説明する。
【００２２】
属性が差出人アドレスの場合、差出人アドレスの設定案内後に入力部から“ｓｕｚｕｋｉ＠ｂ．ｃｏ．ｊｐ”を入力する。セキュアは“１”であるため、“奇数番目の情報をダミー文字“ｘ”にする”変換により“ｘｕｘｕｘｉｘｂｘｃｘ．ｘｐ”が生成され、音声読上げが行われる。
【００２３】
属性が件名の場合は、件名の音声案内後に入力部から“会議日程”を入力する。セキュアは“０”であるため、“会議日程”が生成され、音声読上げが行われる。
【００２４】
属性がカラーモードの場合は、件名の音声案内後に入力部から“１”を入力する。セキュアは“０”であるため、“１”がそのまま音声読上げされる。
【００２５】
属性が解像度の場合は、件名の音声案内後に入力部から“２”を入力する。セキュアは“０”であるため、“２”がそのまま音声読上げされる。そして確認案内に対して進むボタンＵ８を押下して次のレコードを読み出すが、ここでは次のレコードの属性が“ＥＮＤ”である。そのため読上げフェーズは終了となる。
【００２６】
これが、電子メールの送信設定を音声読上げにより確認する具体例である。
【実施例２】
【００２７】
実施例２として、実施例１の音声読上げフェーズに秘密情報Ｓを任意に指定することを可能とする（セキュアの値を任意に決めることを可能とする）処理を加えた音声読上げフェーズにおいて、属性をパスワード、暗証番号、金額、氏名、電話番号とした場合の一具体例を図５と図６を用いて説明する。図５は、実施例１の図３と同じ表記手段で設定を行う属性や音声案内をまとめたものである。図６は、実施例１の処理を表すフローチャート図４と本実施例２の処理を表すフローチャートの差分（Ｆ３とＦ４の間に加わる処理）を表したものである。
【００２８】
実施例２の音声読上げフェーズの処理手順は実施例１とほぼ同じでため、異なる処理手順と読上げ内容を中心に説明する。
【００２９】
属性がパスワードの場合を説明する。パスワードの設定案内後に入力部から“１２３ａｂｃ”を入力すると、本実施例ではここで、“セキュアにしますか？セキュアにする場合は１を、しない場合は０を入力し、最後に入力決定ボタンを押してください”と音声案内（以下、セキュア案内）がスピーカＢ５から行われる。ユーザは、入力部からセキュアにする場合は“１”を、そうでない場合は“０”を入力する（Ｆ１０）。セキュアでない場合は実施例１と同じく、設定情報が生成情報となる（Ｆ６）。ここではパスワードのセキュアを１に設定するため“１”と入力決定ボタンを押下する。これにより“入力した順番とは逆の順番に並び順を替える”変換を行い、“１２３ａｂｃ”から生成情報Ｔとして“ｃｂａ３２１”を生成する。この後は実施例１と同じ手順で生成情報Ｔの確認案内が行われ、音声読上げ結果が正しいなら進むボタンＵ８を押下して次のレコードを読み出し、変更なら戻るボタンＵ７を押下して設定案内（Ｆ３）に戻る。
【００３０】
以下に属性が暗証番号、金額、氏名、電話番号の場合を、パスワードの場合との差分のみ説明する。
【００３１】
属性が暗証番号の場合は、暗証番号の設定案内後に入力部から“１２３４５”を入力し、セキュア案内後に“１”を入力し、“入力した値を一つ大きいものに暗号化する（ただし値が９の場合は０とする）”変換を行い、“１２３４５”から“２３４５６”を生成情報Ｔとして生成する。
【００３２】
属性が金額の場合は、暗証番号の設定案内後に入力部から“１２３００”を入力し、セキュア案内後に“１”を入力し、“初めて０が表れる前のみを選択する”変換を行い、“１２３００”から“１２３”を生成情報Ｔとして生成する。
【００３３】
属性が氏名の場合は、暗証番号の設定案内後に入力部から“１２３４５”を入力し、セキュア案内後に“１”を入力し、“＊の前の文字をすべてダミー文字“０”とする”変換を行い、“ｙａｍａｄａ＊ｔａｒｏ”から“００００００＊ｔａｒｏ”を生成情報Ｔとして生成する。
【００３４】
属性が電話番号の場合は、暗証番号の設定案内後に入力部から“０１２３４５６７８９”を入力し、セキュア案内後に“１”を入力し、“最後の３文字をダミー文字“ｘ”とする”変換を行い、“Ｏ１２３４５６７８９”から“０１２３４５６ｘｘｘ”を生成情報Ｔとして生成する。
【００３５】
これが、秘密情報Ｓを任意に指定して変換を行う具体例である。
【実施例３】
【００３６】
実施例３として、実施例１の音声読上げフェーズに生成情報Ｔの音声読上げだけではなく印刷も行う処理を加えた音声読上げフェーズにおいて、秘密情報Ｓを変換して生成した生成情報Ｔの音声読み上げと印刷を行う一具体例を図７を用いて説明する。図７は、実施例１の処理を表すフローチャート図４と本実施例３の処理を表すフローチャートの差分（Ｆ５とＦ７の間に加わる処理）を表したものである。
【００３７】
実施例３の読上げフェーズの処理手順は実施例１とほぼ同じであるため、実施例１とは異なる処理手順を中心に説明する。
【００３８】
秘密情報Ｓの変換（Ｆ５）により生成情報Ｔとして“１２３４５”を生成する。本実施例ではここで音声読上げを行う前に、“音声読上げだけではなく、印刷も行いますか？  印刷を行う場合は１を、行わない場合は０を押し、最後に入力決定ボタンを押してください”と音声案内（以下、印刷案内）がスピーカＢ５から行われる。ユーザは、印刷も行う場合は“１”を、そうでない場合は“０”を入力部から入力する（Ｆ１１）。そして、ＣＰＵ  Ｂ１により印刷を行うかの判断を行う（Ｆ１２）。印刷を行わない場合は実施例１と同じく生成情報Ｔの音声読上げのみを行う。印刷を行う場合は、音声読上げのために生成情報ＴをメモリＢ２に記憶してから生成情報ＴをプリンタＢ８に通知して印刷を行い、メモリＢ２の生成情報Ｔを出力部Ｂ４に送る（Ｆ１３）。そして生成情報Ｔの通知を受けた出力部Ｂ４はスピーカＢ５により生成情報Ｔの音声読上げを行う（Ｆ７）。ここでは印刷を行うため、印刷案内後に１と入力決定ボタンを押下する。これにより“１２３４５”の印刷と”１２３４５”の音声読上げが行われる。
これが、音声読上げだけではなく印刷も行う具体例である。
【実施例４】
【００３９】
実施例４として、実施例１の音声読上げフェーズに生成情報Ｔを音声で読上げる際の速度、音量、音質、音程を変更する処理（以下、音声調整）を加えた音声読上げフェーズにおいて、音声調整を行った後に生成情報Ｔの音声読上げを行う一具体例を図８を用いて説明する。図８は、実施例１の処理を表すフローチャート図４の設定案内と設定情報の入力処理（Ｆ３）に本実施例の音声調整を行う処理を加えたものである。
【００４０】
この音声調整は、音声読上げフェーズの任意のユーザ入力の前（割込みが有効なら任意の位置）で何度でも実行できるが、本実施例では設定案内直前に発声調整ボタンＵ１２を押下し、音声調整を行う場合を考える。なお音声調整で設定するそれぞれの値はメモリＢ２に記憶されている。
【００４１】
実施例４の音声読上げフェーズの処理手順は実施例１とほぼ同じであるため、異なる処理手順と読上げ内容を中心に説明する。
【００４２】
設定情報を入力する前に設定案内がスピーカＢ５により音声読上げされる（Ｆ３’）。本実施例では設定情報を入力する前に発声調整ボタンＵ１２を押下し、音声調整を開始する（Ｆ１４）。まず、ＣＰＵ  Ｂ１によりメモリＢ２に記憶されている現在の読上げ速度を読み出し、“現在の速度は９段階で５です。速くする場合は９以下で大きな数を入力し、遅くする場合は１以上の小さな数を入力し、最後に入力決定ボタンを押してください”と音声案内（以下、速度案内）がスピーカＢ５により行われる。ここでは速度を７にするため速度案内後に入力部から７と入力決定ボタンを押下する（Ｆ１５）。入力決定ボタンの押下がＣＰＵ  Ｂ１に通知されると、この設定値は音声読上げの設定値としてメモリＢ２に記憶され、次の設定に移る。
【００４３】
同様に音量、音質、音調の設定も行うが、処理手順は前記速度の場合と同じであるため、速度の場合とは異なる音声案内と設定内容を中心に説明する。
【００４４】
音量の場合は、“現在の音量は９段階で５です。大きくする場合は９以下で大きな数を入力し、小さくする場合は１以上の小さな数を入力し、最後に入力決定ボタンを押してください”と音声案内（以下、音量案内）が行われる。ここでは音量を３にするため音量案内後に入力部から３と入力決定ボタンを押下する（Ｆ１６）。
【００４５】
音質の場合は、“現在の音質は９段階で５です。はっきりさせる場合は９以下で大きな数を入力し、くもらせる場合は１以上の小さな数を入力し、最後に入力決定ボタンを押してください”と音声案内（以下、音質案内）が行われる。ここでは設定を変更しないため音質案内後に入力部から５と入力決定ボタンを押下する（Ｆ１７）。
【００４６】
音程の場合は、“現在の音程は９段階で５です。高くする場合は９以下で大きな数を入力し、低くする場合は１以上の小さな数を入力し、最後に入力決定ボタンを押してください”と音声案内（以下、音程案内）が行われる。ここでは設定を変更しないため音程案内後に入力部から５と入力決定ボタンを押下する（Ｆ１８）。
【００４７】
これら４つの設定が終わると、次の設定がないことがＣＰＵ  Ｂ１により判断され、メモリＢ２から音声調整の情報を読み出して確認案内が行われる。ここでは“速度は７、音量は３、音質は５、音程は５です。正しいなら進むボタンを、変更するなら戻るボタンを押してください”と確認案内が行われる。ユーザは進むボタンＵ８もしくは戻るボタンＵ７を押下する（Ｆ１９）。そしてこの入力をＣＰＵ  Ｂ１が判断する（Ｆ２０）。正しい場合は次の動作に移る。変更の場合は設定案内直後に戻る。ここでは決定のため進むボタンＵ８を押下し、設定情報の入力（Ｆ３’’）に移る。
【００４８】
これが、音声調整を行う具体例である。
【実施例５】
【００４９】
実施例５として、実施例１の音声読上げフェーズに変換手段Ｆの選択とその変換手段Ｆが持つパラメータの指定により変換を行う処理を加えた音声読上げフェーズにおいて、ユーザが変換手段Ｆの選択とそのパラメータの指定を行う一具体例を図９を用いて説明する。図９は、実施例１の処理を表すフローチャート図４と本実施例の変換手段Ｆとパラメータの指定の処理を表すフローチャートとの差分（Ｆ４でＹＥＳに進んだ直後にくる処理）を表したものである。この変換手段Ｆの選択とパラメータの指定は、全ての属性を共通な変換手段Ｆで変換するために音声読上げフェーズの最初に行うこともできるが、本実施例では設定情報のセキュアが１であると判断された（Ｆ４）直後に行うことで、毎回異なる変換手段Ｆを生成する場合を考える。
【００５０】
また、本実施例ではボタン押下のタイミングも考慮し、設定案内終了から５秒間経過してもユーザによる入力がなかった場合にはあらかじめ決めておいたデフォルト値をユーザの入力とみなすこととする。なおこのデフォルト値はメモリＢ２にあらかじめ記憶されている。
【００５１】
本実施例の音声読上げフェーズの処理手順は実施例１とほぼ同じでため、異なる処理手順と読上げ内容を中心に説明する。
【００５２】
ＣＰＵ  Ｂ１により読み出したレコードのセキュアが“１”である判断されると、メモリＢ２に記憶されているすべての変換手段Ｆが音声案内により読み上げられる。ここでは、“１か２の変換手段をテンキーで入力し、最後に入力決定ボタンを押してください。１の変換手段は指定した情報をダミー音にする方法です。２の変換手段は情報の内容を指定した数だけ後ろに動かす方法です。例えば、数字３を１つ動かすと４になり、文字Ａを１つ動かすとＢになります”と音声案内（以下、変換案内）がスピーカＢ５から行われる。ユーザが５秒以内に１か２のテンキーを押下した場合は、この入力が実行する変換手段ＦとしてメモリＢ２に記憶される。また、５秒経過してもユーザからの入力がない場合は、デフォルトの変換手段Ｆを入力とみなす（Ｆ２１）。ここでは、変換手段Ｆとパラメータ指定のデフォルト値はともに１である。
【００５３】
続いてパラメータの指定を行う。テンキーにより１が押下される、もしくは５秒間なにも入力がなかった場合は、“ダミー音にする情報は先頭から何番目の情報ですか？テンキーで指定してから入力決定ボタンを押す操作を繰り返し、指定がすべて終了したら進むボタンを押してください”と音声案内（以下、パラメータ案内）がスピーカＢ５から行われる。同様に、テンキーにより２が押下された場合は、“いくつ後ろに動かしますか？テンキーで数字を入力して入力決定ボタンを押してください”とパラメータ案内がスピーカＢ５から行われる。ユーザはこのパラメータ案内に対して入力部より数字と入力決定ボタンを押下する。５秒経過してもユーザからの入力がない場合は、前記と同様にデフォルトのパラメータを入力とみなす（Ｆ２２）。この入力はメモリＢ２の実行する変換手段Ｆにパラメータとして加わり、これが新たな変換手段ＦとしてメモリＢ２に記憶される。そして、この変換手段Ｆを用いて実施例１と同様に変換と読上げが行われる。
秘密情報Ｓ“１２３４５”において、変換案内で１を入力し、パラメータ案内で２と３を入力した場合は、生成情報Ｔは“１  ダミー音  ダミー音  ４  ５”となる。
【００５４】
また、秘密情報Ｓ“１２３４５”において、変換案内で２を入力し、パラメータ案内で３を入力した場合は、生成情報Ｔは“４５６７８”となる。
【００５５】
また、秘密情報Ｓ“１２３４５”において、変換案内で２を入力し、５秒間何も入力しなかった場合は、生成情報Ｔは“２３４５６”となる。
【００５６】
これが、ボタン押下のタイミングを考慮した場合における変換手段Ｆの選択とパラメータの指定の具体例である。
【実施例６】
【００５７】
前記までの実施例とは異なる系統の実施例を説明する。本実施例ではこれまでと同じ画像形成装置の制御部（図１）と同じ操作部Ｂ３の一部（図２）を用いるが、２つの異なる点がある。１つは、一括読上げボタンＵ１１を押下することで設定をまとめて読み上げるという点で、もう１つは、進むボタンＵ８により現在の設定を変更しないで次の設定へ移る（以下、スキップする）ことである。
【００５８】
このようなシステム構成において、図３の属性を設定する一具体例を図１０を用いて説明する。なお図３の属性にはそれぞれ初期値という設定値があり、これはメモリＢ２に記憶されている。また、初期値が空白であるものもあるが、この場合の音声読上げ内容は“設定されていません”となり、設定が空白のままスタートボタンＵ１０を押下すると、ＣＰＵ  Ｂ１の判断により送信は行われず、再設定の音声案内が行われる。図３の属性の初期値は、送信先アドレスと差出人アドレスが空白、件名が“無題”、カラーモードが“フルカラー”、解像度が“２００×２００ｄｐｉ”である。図１０は本実施例の音声読上げフェーズの処理手順を表したものである。
【００５９】
一括読上げは、音声読上げフェーズの任意のユーザ入力の前（割込みが有効なら任意の位置）に何度でも実行できるが、本実施例では音声読上げフェーズの開始時点に一括読上げを行うことで初期値を確認し、音声読上げフェーズの終了時点（スタートボタンＵ１０を押下する前）に再び一括読上げを行うことで生成情報Ｔを確認する場合を考える。
【００６０】
本実施例の音声読上げフェーズの処理手順は実施例１と設定情報の入力や変換などが同じであるため、異なる処理手順と読上げ内容を中心に説明する。
【００６１】
音声読上げフェーズの最初に一括読上げボタンＵ１１を押下すると、“送信先アドレスは、設定されていません。差出人アドレスは、指定されていません。件名は、無題です。カラーモードは、フルカラーです。解像度は、２００×２００ｄｐｉです。”と、現在の属性の内容が読上げが行われる。
【００６２】
その後に音声読上げフェーズに戻り、送信先アドレスの設定案内になるが、本実施例ではここで“宛先を入力してください。もし設定を変更しないなら進むを押してください”と、現在の設定を変更せずに次の設定へ移る音声案内（以下、スキップつき設定案内）が行われる。ユーザは、設定を行う場合は設定情報を入力し、スキップする場合は進むボタンＵ８を押下する（Ｆ２３）。そして、この入力をＣＰＵ  Ｂ１が判断する（Ｆ２４）。スキップする場合は、次のレコードの読み出しに移る（Ｆ１）。ここでは送信先アドレスを設定するため、実施例１と同様に設定情報を入力し、変換を行い生成情報Ｔを生成する。本実施例ではここで生成情報Ｔを音声読上げせず、メモリＢ２に記憶される（Ｆ２５）。そして次のレコードの読み出しに移る（Ｆ１）。
【００６３】
このように差出人アドレス、解像度は実施例１と同様に変換し、件名とカラーモードはスキップして、音声読上げフェーズを終了する。そして設定終了後に一括読上げボタンＵ１１を押下すると、“送信先アドレスは、ａｓｏｔ＠ｕ．ａｏｃｊ．ｐです。差出人アドレスは、ｘｕｘｕｘｉｘｂｘｃｘ．ｘｐです。件名の設定は、無題です。カラーモードは、フルカラーです。解像度は、３００×３００ｄｐｉです。”と、音声読上げが行われる。
【００６４】
これが、一括読上げとスキップを行う具体例である。
【図面の簡単な説明】
【００６５】
【図１】画像形成装置の制御部のブロック図
【図２】画像形成装置の操作部の画面図
【図３】送信設定を行う際の属性、設定案内、セキュア、変換手段Ｆ、ユーザによる設定情報の例を示す図
【図４】実施例１のフローチャート図
【図５】設定を行う属性や音声案内をまとめたものを示す図
【図６】実施例２のフローチャート図の一部
【図７】実施例３のフローチャート図の一部
【図８】実施例４のフローチャート図の一部
【図９】実施例５のフローチャート図の一部
【図１０】実施例６のフローチャート図
【符号の説明】
【００６６】
Ｂ１  ＣＰＵ
Ｂ２  メモリ
Ｂ３  操作部
Ｂ４  出力部
Ｂ５  スピーカ
Ｂ６  外部インターフェイス
Ｂ７  画像処理部
Ｂ８  プリンタ
Ｂ９  スキャナ
Ｕ１  コピーボタン
Ｕ２  スキャナボタン
Ｕ３  送信ボタン
Ｕ４  ディスプレイ部
Ｕ５  キーボード
Ｕ６  テンキー
Ｕ７  戻るボタン
Ｕ８  進むボタン
Ｕ９  音声スタートボタン
Ｕ１０  スタートボタン
Ｕ１１  一括読上げボタン
Ｕ１２  発声調整ボタン
【図１】
2006243133.tif 000003
【図２】
2006243133.tif 000004
【図３】
2006243133.tif 000005
【図４】
2006243133.tif 000006
【図５】
2006243133.tif 000007
【図６】
2006243133.tif 000008
【図７】
2006243133.tif 000009
【図８】
2006243133.tif 000010
【図９】
2006243133.tif 000011
【図１０】
2006243133.tif 000012